(57)【要約】  【課題】  ２つの映像信号に係る映像を正常な１つの同期信号に同期させて安定に同時表示することができる同期信号分離装置を提供する。  【解決手段】  同期信号分離装置３０は、映像信号の振幅の所定比率における信号レベルで映像信号をスライスして同期信号を分離する自動スライス回路３２と、所定信号レベルで映像信号をスライスして同期信号を分離する固定スライス回路３３と、自動スライス回路３２又は固定スライス回路３３のいずれにて同期信号を分離するかの選択を行う第１選択スイッチ３１と、映像信号とは非同期の同期信号を生成するＨ／Ｖ生成回路３６と、第１選択スイッチ３１にて選択され、Ｈ／Ｖ分離回路３５によって分離された同期信号又はＨ／Ｖ生成回路３６にて生成された同期信号のいずれを出力するかの選択を行う第２選択スイッチ３７とを備え、第１選択スイッチ３１及び第２選択スイッチ３７は制御回路３８によって互いに独立して制御される。【選択図】        図１
2006135769.tif 000002
【特許請求の範囲】
【請求項１】
同期信号が混合された映像信号から前記同期信号を分離して出力する同期信号分離装置において、
振幅の所定比率における信号レベルで映像信号をスライスして同期信号を分離する第１分離手段と、
所定信号レベルで映像信号をスライスして同期信号を分離する第２分離手段と、
外部から入力された映像信号から同期信号を、前記第１分離手段にて分離するか又は前記第２分離手段にて分離するかの選択を行う第１選択手段と、
前記映像信号とは非同期の同期信号を生成する同期信号生成手段と、
前記第１選択手段にて選択された前記第１分離手段又は前記第２分離手段にて分離された同期信号又は前記同期信号生成手段にて生成された同期信号のいずれの信号を出力するかの選択を行う第２選択手段と
を備え、
前記第１選択手段及び前記第２選択手段は互いに独立して選択を行うようにしてあること
を特徴とする同期信号分離装置。
【請求項２】
前記第１選択手段にて選択され、前記第１分離手段又は前記第２分離手段にて分離された同期信号が正常であるか否かを判定する判定手段を備え、
前記第２選択手段は、前記判定手段にて前記同期信号が正常でないと判定された場合に、前記同期信号生成手段にて生成された同期信号を出力するようにしてあること
を特徴とする請求項１に記載の同期信号分離装置。
【請求項３】
前記第２選択手段は、前記判定手段にて前記同期信号が正常であると判定された場合に、前記第１選択手段にて選択された同期信号を出力するようにしてあること
を特徴とする請求項２に記載の同期信号分離装置。
【請求項４】
時間を計測する計時手段を備え、
該計時手段は、前記判定手段にて前記同期信号が正常でないと判定された場合に時間の計測を開始し、
前記第１選択手段は、前記計時手段により計測された時間が所定時間を経過しない場合に、同期信号を前記第１分離手段にて分離するようにしてあること
を特徴とする請求項２又は請求項３に記載の同期信号分離装置。
【請求項５】
前記第１選択手段は、前記計時手段により計測された時間が前記所定時間を経過した場合に、同期信号を前記第２分離手段にて分離するようにしてあること
を特徴とする請求項４に記載の同期信号分離装置。
【請求項６】
前記第１選択手段は、前記計時手段により計測された時間が前記所定時間を経過した場合に、所定の時間間隔で同期信号を前記第１分離手段にて分離するようにしてあること
を特徴とする請求項５に記載の同期信号分離装置。
【発明の詳細な説明】
【技術分野】
【０００１】
本発明は、同期信号が混合された映像信号から同期信号を分離する同期信号分離装置に関し、より具体的には、映像信号が入力されている場合はもとより、映像信号が未入力の場合、さらに、入力していた映像信号が未入力に変化した場合のように映像信号の信号レベルが不安定な場合であっても、安定な同期信号分離生成動作を行うことができる同期信号分離装置に関する。
【背景技術】
【０００２】
図６は、従来の同期信号分離装置を搭載したテレビジョン受像機の構成を示すブロック図である。
テレビジョン受像機１００は、チューナ部１０１、同期信号分離装置１２０、ＯＳＤ信号生成回路１０９、合成処理回路１１０及び表示部１１１などを備える。同期信号分離装置１２０は、第１選択スイッチ１０２、自動スライス回路１０３、固定スライス回路１０４、同期判定回路１０５、水平／垂直信号分離回路（以下、Ｈ／Ｖ分離回路という）１０６、水平／垂直信号生成回路（以下、Ｈ／Ｖ生成回路という）１０７、及び第２選択スイッチ１０８から構成される。テレビジョン受像機１００は、チューナ部１０１に入力された映像信号に係る映像と、利用状況などのＯＳＤ映像とを表示部１１１に表示する機能を有している。
【０００３】
テレビジョン受像機１００は、入力された映像信号をチューナ部１０１にて復調し、自動スライス回路１０３又は固定スライス回路１０４のいずれかへ出力する。その出力先を選択するのが第１選択スイッチ１０２であり、同期判定回路１０５より与えられる指示信号によって出力先が選択される。
【０００４】
自動スライス回路１０３は、入力された信号を、その振幅の所定比率における信号レベルでスライスする機能を有しており、第１選択スイッチ１０２の選択によって映像信号が入力された場合、映像信号から同期信号、より正確には、水平同期信号と垂直同期信号とが混合された同期信号（以下、複合同期信号という）を分離して出力する。一方、固定スライス回路１０４は、入力された信号を所定信号レベルでスライスする機能を有しており、第１選択スイッチ１０２の選択によって映像信号が入力された場合、映像信号から複合同期信号を分離して出力する。そして、自動スライス回路１０３又は固定スライス回路１０４から出力された複合同期信号は、同期判定回路１０５及びＨ／Ｖ分離回路１０６へ出力される。なお、自動スライス回路１０３，固定スライス回路１０４は、輝度信号及びクロマ信号（以下、まとめてＹＣ信号という）を合成処理回路１１０へ出力する。
【０００５】
Ｈ／Ｖ分離回路１０６は、入力された複合同期信号を水平同期信号と垂直同期信号とに分離するものであり、分離した水平同期信号と垂直同期信号とを第２選択スイッチ１０８へ出力する。また、Ｈ／Ｖ生成回路１０７は、入力された映像信号とは非同期の水平同期信号と垂直同期信号とを生成して、第２選択スイッチ１０８へ出力する。そして、第２選択スイッチ１０８は、同期判定回路１０５より与えられる指示信号によって、入力されたＨ／Ｖ分離回路１０６又はＨ／Ｖ生成回路１０７のいずれかの水平同期信号及び垂直同期信号を選択し、ＯＳＤ信号生成回路１０９及び表示部１１１へ出力する。
【０００６】
同期判定回路１０５では、分離された複合同期信号が正常であるか否かの判定が行われ、その判定結果に基づいて、第１選択スイッチ１０２及び第２選択スイッチ１０８の選択動作を指示する指示信号が第１選択スイッチ１０２及び第２選択スイッチ１０８へ与えられる。同期判定回路１０５は、分離された複合同期信号が正常であると判定した場合、チューナ部１０１にて復調された映像信号を自動スライス回路１０３へ出力するように指示するとともに、Ｈ／Ｖ分離回路１０６からの水平同期信号及び垂直同期信号を選択して出力するように指示する指示信号を、第１選択スイッチ１０２及び第２選択スイッチ１０８へ与える。一方、同期判定回路１０５は、分離された複合同期信号が正常でない（異常である）と判定した場合、チューナ部１０１にて復調された映像信号を固定スライス回路１０４へ出力するように指示するとともに、Ｈ／Ｖ生成回路１０７からの水平同期信号及び垂直同期信号を選択して出力するように指示する指示信号を、第１選択スイッチ１０２及び第２選択スイッチ１０８へ与える。
【０００７】
さらに詳述すれば、図７に示すように、複合同期信号が正常である場合には、指示信号によって、第１選択スイッチ１０２は入力部１０２ａに入力された信号を出力部１０２ｂから出力し、第２選択スイッチ１０８は入力部１０８ｂに入力された信号を出力部１０８ｃから出力する（図７（ａ））。また、複合同期信号が異常である場合には、指示信号によって、第１選択スイッチ１０２は入力部１０２ａに入力された信号を出力部１０２ｃから出力し、第２選択スイッチ１０８は入力部１０８ａに入力された信号を出力部１０８ｃから出力する（図７（ｂ））。
【０００８】
ＯＳＤ信号生成回路１０９は、第２選択スイッチ１０８から入力される水平同期信号及び垂直同期信号に同期して利用状況などのＯＳＤ映像に係るＹＣ信号を生成し、合成処理回路１１０へ出力する。合成処理回路１１０は、自動スライス回路１０３又は固定スライス回路１０４から入力されたＹＣ信号と、ＯＳＤ信号生成回路１０９から入力されたＹＣ信号とを合成して表示部１１１へ出力し、チューナ部１０１に入力された映像信号に係る映像とＯＳＤ映像とを表示部１１１に表示する。
【０００９】
上述したように、従来の同期信号分離装置１２０は、映像信号が入力された場合（通常の場合）、映像信号の振幅が変化したとしても、常に所定比率における信号レベルで、映像信号をスライスする自動スライス回路１０３により複合同期信号が分離され、Ｈ／Ｖ分離回路１０６から、ＯＳＤ映像の同期に好適な安定した水平同期信号及び垂直同期信号が出力される。
【００１０】
また、映像信号が未入力の場合、自動スライス回路１０３では複合同期信号が分離されず、ＯＳＤ映像の表示が不安定（揺れる）となるため、同期信号分離装置１２０は、第１選択スイッチ１０２によって固定スライス回路１０４に切り換えるとともに、第２選択スイッチ１０８によってＨ／Ｖ生成回路１０７に切り換えることにより、安定した（揺れない）ＯＳＤ映像を表示部１１１に表示させていた。
【特許文献１】特開平８−２７５０２６号公報
【発明の開示】
【発明が解決しようとする課題】
【００１１】
従来の同期信号分離装置１２０は、複合同期信号が正常でないと判定された場合、固定スライス回路１０４にて、入力された映像信号から同期信号（複合同期信号）を分離するように設定される。しかしながら、固定スライス回路１０４は、入力された信号を所定信号レベルでスライスすることから、複合同期信号を分離する分離能力が自動スライス回路１０３より劣るため、実際に映像信号が入力されている場合であっても、複合同期信号を分離することができない虞がある。例えば、映像信号が未入力状態から入力状態に変化したとき（以下、トランジット時という）、シンクチップのクランプ電圧が上昇してしまい、固定スライス回路１０４では複合同期信号が分離されずに、実際に映像信号が入力されている場合であっても、映像に同期がかからず、映像が流れてしまうという問題があった。
【００１２】
本発明は斯かる事情に鑑みてなされたものであり、同期信号が混合された映像信号の振幅の所定比率における信号レベルで映像信号をスライスして同期信号を分離するか、又は、所定信号レベルで映像信号をスライスして同期信号を分離するかの選択と、選択された同期信号を出力するか、又は、映像信号とは非同期の同期信号を生成して出力するかの選択とを互いに独立して行う構成とすることにより、映像信号が入力されている場合はもとより、映像信号が未入力の場合、さらにトランジット時のような信号レベルが不安定な場合であっても、安定な同期信号分離生成動作を行うことができ、出力される同期信号に同期した別の映像信号（例えばＯＳＤ用映像信号など）を生成すれば、２つの映像信号に係る映像を正常な１つの同期信号に同期させて安定に同時表示することができる同期信号分離装置の提供を目的とする。
【００１３】
また本発明は、映像信号から分離された同期信号が正常であるか否かを判定し、正常でないと判定された場合には、映像信号が入力されていないと判断し、映像信号とは非同期（無関係）の同期信号を生成して出力する構成とすることにより、生成した同期信号に同期した別の映像信号（例えばＯＳＤ用映像信号など）を生成すれば、別の映像信号に係る映像の表示が不安定となる虞のない同期信号分離装置の提供を目的とする。
【００１４】
また本発明は、同期信号が正常であると判定された場合には、映像信号が入力されていると判断し、入力された映像信号から分離された同期信号を出力する構成とすることにより、分離された同期信号に同期した別の映像信号（例えばＯＳＤ用映像信号など）を生成すれば、元の映像信号と新規に生成した映像信号とを同時に表示する場合に、表示が不安定となる虞のない同期信号分離装置の提供を目的とする。
【００１５】
また本発明は、同期信号が正常でないと判定された場合に時間の計測を開始し、計測された時間が所定時間を経過しない場合に、その振幅の所定比率における信号レベルで映像信号をスライスして同期信号を分離する構成とすることにより、同期信号の分離に失敗することを抑制することができる同期信号分離装置の提供を目的とする。
【００１６】
また本発明は、同期信号が正常でないと判定された場合に時間の計測を開始し、計測された時間が所定時間を経過した場合に、所定信号レベルで映像信号をスライスして同期信号を分離する構成とすることにより、処理を簡略化して消費電力を落とすことができる同期信号分離装置の提供を目的とする。
【００１７】
また本発明は、同期信号が正常でないと判定された場合に時間の計測を開始し、計測された時間が所定時間を経過した場合に、所定の時間間隔で、その振幅の所定比率における信号レベルで映像信号をスライスして同期信号を分離する構成とすることにより、低消費電力を確保しつつ、分離能力を高めて、同期信号の分離が継続して失敗することを防止することができる同期信号分離装置の提供を目的とする。
【課題を解決するための手段】
【００１８】
本発明に係る同期信号分離装置は、同期信号が混合された映像信号から前記同期信号を分離して出力する同期信号分離装置において、振幅の所定比率における信号レベルで映像信号をスライスして同期信号を分離する第１分離手段と、所定信号レベルで映像信号をスライスして同期信号を分離する第２分離手段と、外部から入力された映像信号から同期信号を、前記第１分離手段にて分離するか又は前記第２分離手段にて分離するかの選択を行う第１選択手段と、前記映像信号とは非同期の同期信号を生成する同期信号生成手段と、前記第１選択手段にて選択された前記第１分離手段又は前記第２分離手段にて分離された同期信号又は前記同期信号生成手段にて生成された同期信号のいずれの信号を出力するかの選択を行う第２選択手段とを備え、前記第１選択手段及び前記第２選択手段は互いに独立して選択を行うようにしてあることを特徴とする。
【００１９】
本発明にあっては、同期信号が混合された映像信号の振幅の所定比率における信号レベルで映像信号をスライスして同期信号を分離するのか、又は、所定信号レベルで映像信号をスライスして同期信号を分離するのかを第１選択手段によって選択する。また、第１選択手段による選択とは独立して、第１選択手段により選択されることよって分離された同期信号を出力するか、又は、映像信号とは非同期の同期信号を生成して出力するかを第２選択手段によって選択する。出力される同期信号に同期した別の映像信号（例えばＯＳＤ用映像信号など）を生成すれば、２つの映像信号に係る映像を正常な１つの同期信号に同期させて安定に同時表示することができる。
【００２０】
本発明に係る同期信号分離装置は、前記第１選択手段にて選択され、前記第１分離手段又は前記第２分離手段にて分離された同期信号が正常であるか否かを判定する判定手段を備え、前記第２選択手段は、前記判定手段にて前記同期信号が正常でないと判定された場合に、前記同期信号生成手段にて生成された同期信号を出力するようにしてあることを特徴とする。
【００２１】
本発明にあっては、第１選択手段によって選択され、前記第１分離手段又は前記第２分離手段にて分離された同期信号が正常であるか否かを判定し、同期信号が正常でないと判定された場合に、前記同期信号生成手段にて生成された同期信号、すなわち映像信号とは非同期の同期信号を出力する。同期信号が正常でない場合には、映像信号が入力されていないと判断し、映像信号とは非同期（無関係）の同期信号を生成して出力するので、映像信号が未入力の場合であっても、安定な同期信号分離生成動作（ここでは生成動作）を行うことができる。これにより、例えば、この同期信号に同期した別の映像信号（例えばＯＳＤ用映像信号など）を生成すれば、この映像信号に係る映像の表示が不安定となる虞はない。つまり、入力された映像信号は、表示することに意味のない信号であると考えられるので、この映像信号に係る映像を表示する必要はない。
【００２２】
本発明に係る同期信号分離装置は、前記第２選択手段は、前記判定手段にて前記同期信号が正常であると判定された場合に、前記第１選択手段にて選択された同期信号を出力するようにしてあることを特徴とする。
【００２３】
本発明にあっては、同期信号が正常であると判定された場合に、第１選択手段にて選択された同期信号、すなわち入力された映像信号をスライスすることによって分離された同期信号を出力する。同期信号が正常である場合には、映像信号が入力されていると判断し、入力された映像信号から分離された同期信号を出力するので、映像信号が入力されている場合はもとより、さらにトランジット時のような信号レベルが不安定な場合であっても、安定な同期信号分離動作（ここでは分離動作）を行うことができる。これにより、例えば、出力される同期信号に同期した別の映像信号（例えばＯＳＤ用映像信号など）を生成すれば、２つの映像信号が正常な１つの同期信号に同期しているので、元の映像信号と新規に生成した映像信号とを同時に表示する場合に、表示が不安定となる虞はない。
【００２４】
本発明に係る同期信号分離装置は、時間を計測する計時手段を備え、該計時手段は、前記判定手段にて前記同期信号が正常でないと判定された場合に時間の計測を開始し、前記第１選択手段は、前記計時手段により計測された時間が所定時間を経過しない場合に、同期信号を前記第１分離手段にて分離するようにしてあることを特徴とする。
【００２５】
本発明にあっては、同期信号が正常でないと判定された場合に時間の計測を開始する。つまり、同期信号が正常でないと判定された時間を計測する。そして、計測した時間が所定時間を経過しない場合は、第１分離手段にて同期信号を分離する、すなわち、その振幅の所定比率における信号レベルで映像信号をスライスして同期信号を分離する。第２分離手段は、入力された信号を所定信号レベルでスライスすることから、同期信号を分離する分離能力が第１分離手段より劣るため、実際に映像信号が入力されている場合であっても、同期信号を分離することができない虞がある。そこで、時間が所定時間を経過しないうちは、分離能力が優れた第１分離手段にて同期信号を分離することによって、同期信号の分離に失敗することを抑制することができる。特に、瞬間的に映像信号にノイズが混入された場合などのようなときに有効である。
【００２６】
本発明に係る同期信号分離装置は、前記第１選択手段は、前記計時手段により計測された時間が前記所定時間を経過した場合に、同期信号を前記第２分離手段にて分離するようにしてあることを特徴とする。
【００２７】
本発明にあっては、同期信号が正常でないと判定された場合に計測を開始した時間が所定時間を経過した場合は、第２分離手段にて同期信号を分離する、すなわち、所定信号レベルで映像信号をスライスして同期信号を分離する。所定時間を経過した後は、例えば、瞬間的に映像信号にノイズが混入された場合と異なり、実際に映像信号が入力されていないと考えられるので、第２分離手段にて同期信号を分離することによって、処理を簡略化して消費電力を落とすことができる。
【００２８】
本発明に係る同期信号分離装置は、前記第１選択手段は、前記計時手段により計測された時間が前記所定時間を経過した場合に、所定の時間間隔で同期信号を前記第１分離手段にて分離するようにしてあることを特徴とする。
【００２９】
本発明にあっては、同期信号が正常でないと判定された場合に計測を開始した時間が所定時間を経過した場合であっても、所定の時間間隔で第１分離手段にて同期信号を分離する、すなわち、その振幅の所定比率における信号レベルで映像信号をスライスして同期信号を分離する。第２分離手段は、入力された信号を所定信号レベルでスライスすることから、同期信号を分離する分離能力が第１分離手段より劣るため、実際に映像信号が入力されている場合であっても、同期信号を分離することができない虞がある。そこで、所定の時間間隔毎に、第１分離手段にて同期信号を分離することによって分離能力を高める。このようにして、低消費電力を確保しつつ、同期信号の分離が継続して失敗することを防止することができる。
【発明の効果】
【００３０】
本発明によれば、同期信号が混合された映像信号の振幅の所定比率における信号レベルで映像信号をスライスして同期信号を分離するか、又は、所定信号レベルで映像信号をスライスして同期信号を分離するかの選択と、選択された同期信号を出力するか、又は、映像信号とは非同期の同期信号を生成して出力するかの選択とを互いに独立して行う構成としたので、映像信号が入力されている場合はもとより、映像信号が未入力の場合、さらにトランジット時のような信号レベルが不安定な場合であっても、安定な同期信号分離動作を行うことができ、出力される同期信号に同期した別の映像信号（例えばＯＳＤ用映像信号など）を生成すれば、２つの映像信号に係る映像を正常な１つの同期信号に同期させて安定に同時表示することができる。
【００３１】
本発明によれば、映像信号から分離された同期信号が正常であるか否かを判定し、正常でないと判定された場合には、映像信号が入力されていないと判断し、映像信号とは非同期（無関係）の同期信号を生成して出力する構成としたので、映像信号が未入力の場合であっても、安定な同期信号分離生成動作（ここでは生成動作）を行うことができ、生成した同期信号に同期した別の映像信号（例えばＯＳＤ用映像信号など）を生成すれば、別の映像信号に係る映像の表示が不安定となる虞はない。
【００３２】
本発明によれば、同期信号が正常であると判定された場合には、映像信号が入力されていると判断し、入力された映像信号から分離された同期信号を出力する構成としたので、映像信号が入力されている場合はもとより、さらにトランジット時のような信号レベルが不安定な場合であっても、安定な同期信号分離動作（ここでは分離動作）を行うことができ、分離された同期信号に同期した別の映像信号（例えばＯＳＤ用映像信号など）を生成すれば、元の映像信号と新規に生成した映像信号とを同時に表示する場合に、表示が不安定となる虞はない。
【００３３】
本発明によれば、同期信号が正常でないと判定された場合に時間の計測を開始し、計測された時間が所定時間を経過しない場合に、その振幅の所定比率における信号レベルで映像信号をスライスして同期信号を分離する構成としたので、同期信号の分離に失敗することを抑制することができる。
【００３４】
本発明によれば、同期信号が正常でないと判定された場合に時間の計測を開始し、計測された時間が所定時間を経過した場合に、所定信号レベルで映像信号をスライスして同期信号を分離する構成としたので、処理を簡略化して消費電力を落とすことができる。
【００３５】
本発明によれば、同期信号が正常でないと判定された場合に時間の計測を開始し、計測された時間が所定時間を経過した場合に、所定の時間間隔で、その振幅の所定比率における信号レベルで映像信号をスライスして同期信号を分離する構成としたので、低消費電力を確保しつつ、分離能力を高めて、同期信号の分離が継続して失敗することを防止することができる等、優れた効果を奏する。
【発明を実施するための最良の形態】
【００３６】
以下、本発明をその実施の形態を示す図面に基づいて詳述する。
図１は本発明に係る同期信号分離装置を搭載したテレビジョン受像機の構成を示すブロック図である。なお、同図において、映像信号のうち、同期信号の流れを破線、ＹＣ信号の流れを一点鎖線で示す。
【００３７】
テレビジョン受像機１は、チューナ部１１、同期信号分離装置３０、ＯＳＤ信号生成回路１２、合成処理回路１３及び表示部１４などを備え、チューナ部１１に入力された映像信号に係る映像と、利用状況などのＯＳＤ映像とを表示部１４に表示する機能を有している。
【００３８】
チューナ部１１は、例えば放送中継基地の方向に向けて配置されたアンテナ５０に接続されており、放送中継基地から送信された映像信号のうちの特定周波数帯域の映像信号を復調して、同期信号分離装置３０へ出力する。現在、広く利用されている地上波の周波数帯域は、ＶＨＦ帯の低域、ＶＨＦ帯の高域、ＵＨＦ帯であり、この周波数帯域から、利用者によって指定された１チャネルの映像信号を選択して同期信号分離装置３０へ出力する。もちろん、衛星放送、ケーブルテレビ放送などに対応したチューナであってもよい。なお、受像したい放送チャンネルが利用者などによって選択され、選択されたチャンネルの映像信号をチューナ部１１にて復調するようになっている。
【００３９】
同期信号分離装置３０は、第１選択スイッチ３１、自動スライス回路３２、固定スライス回路３３、同期判定回路３４、Ｈ／Ｖ分離回路３５、Ｈ／Ｖ生成回路３６、第２選択スイッチ３７及び制御回路３８を備えている。
【００４０】
第１選択スイッチ３１は、１つの入力部３１ａと２つの出力部３１ｂ，出力部３１ｃとを備え、入力部３１ａはチューナ部１１、出力部３１ｂは自動スライス回路３２、出力部３１ｃは固定スライス回路３３にそれぞれ接続されている。つまり、第１選択スイッチ３１は、チューナ部１１から入力された映像信号を自動スライス回路３２又は固定スライス回路３３のいずれかへの出力を選択する。なお、詳細は後述するが、第１選択スイッチ３１の選択は制御回路３８によって指示される。なお、電源が投入された場合には、映像信号を自動スライス回路３２へ出力するように選択されている。
【００４１】
自動スライス回路３２は、入力された信号を、その振幅の所定比率における信号レベルでスライスする機能を有しており、第１選択スイッチ３１の選択によって映像信号が入力された場合、映像信号から水平同期信号と垂直同期信号とが混合された複合同期信号を分離して出力する。一方、固定スライス回路３３は、入力された信号を所定信号レベルでスライスする機能を有しており、第１選択スイッチ３１の選択によって映像信号が入力された場合、映像信号から複合同期信号を分離して出力する。そして、自動スライス回路３２又は固定スライス回路３３から出力された複合同期信号は、同期判定回路３４及びＨ／Ｖ分離回路３５へ出力される。
【００４２】
同期判定回路３４は、クロックカウンタ３４ａ及び積分カウンタ３４ｂを内蔵しており、入力された複合同期信号が正常であるか否かを判定する手段として機能し、判定した結果を示す判定信号を制御回路３８へ出力する。複合同期信号を構成する水平同期信号及び垂直同期信号は、テレビジョン放送の方式によって規格化されており、例えば、日本国の地上波放送などに用いられているＮＴＳＣ方式の場合、水平同期周波数は１５．７５ｋＨｚ、垂直同期周波数は６０Ｈｚであることから、その判定には、例えば、入力された複合同期信号の水平同期信号及び垂直同期信号のパルスを検出して、正常であるか否かを判定する（詳細は後述する）。
【００４３】
Ｈ／Ｖ分離回路３５は、入力された複合同期信号から水平同期信号及び垂直同期信号に分離する機能を有しており、分離した水平同期信及び垂直同期信号を第２選択スイッチ３７へ出力する。第２選択スイッチ３７は、２つの入力部３７ａ，３７ｂと１つの出力部３７ｃとを備えており、Ｈ／Ｖ分離回路３５から出力された水平同期信及び垂直同期信号は、第２選択スイッチ３７の一方の入力部３７ａに入力される。Ｈ／Ｖ生成回路３６は、映像信号とは無関係、すなわち非同期の水平同期信号及び垂直同期信号を生成する機能を有しており、生成した水平同期信号及び垂直同期信号を第２選択スイッチ３７の他方の入力部３７ｂへ出力する。
【００４４】
ＯＳＤ信号生成回路１２は、第２選択スイッチ３７から入力された水平同期信号及び垂直同期信号に同期して利用状況などのＯＳＤ映像に係るＹＣ信号を生成する回路であり、生成したＹＣ信号を合成処理回路１３へ出力する。合成処理回路１３は、自動スライス回路３２又は固定スライス回路３３から入力されたＹＣ信号と、ＯＳＤ信号生成回路１２から入力されたＹＣ信号とを合成し、合成した合成ＹＣ信号を表示部１４へ出力する。表示部１４は、液晶モニタ又はＬＥＤモニタなどの表示デバイスで構成されており、第２選択スイッチ３７から入力された水平同期信号及び垂直同期信号に同期して、合成処理回路１３から入力された合成ＹＣ信号に係る映像、すなわち、チューナ部１１に入力された映像信号に係る映像とＯＳＤ映像とが合成された映像を表示する。
【００４５】
制御回路３８は、同期判定回路３４から入力された判定信号に基づいて、第１選択スイッチ３１と第２選択スイッチ３７とをそれぞれ独立に制御する。
【００４６】
（１、複合同期信号が正常であると判定した判定信号を受け取った場合）
制御回路３８は、第２選択スイッチ３７の入力部３７ａに入力された信号を出力部３７ｃから出力するように、つまり、Ｈ／Ｖ分離回路３５から入力された信号を出力部３７ｃから出力するように指示する指示信号を第２選択スイッチ３７へ与えて、映像信号に同期する水平同期信号及び垂直同期信号をＯＳＤ信号生成回路１２及び表示部１４へ出力する。これにより、ＯＳＤ信号生成回路１２は、チューナ部１１に入力された映像信号から分離された複合同期信号（水平同期信号及び垂直同期信号）に同期したＯＳＤ映像に係るＹＣ信号を生成することになるので、元の映像と新規に生成したＯＳＤ映像とを同時に表示する場合に、表示が不安定となる虞はない。
【００４７】
（２、複合同期信号が正常でない（異常である）と判定した判定信号を受け取った場合）
制御回路３８は、第２選択スイッチ３７の入力部３７ｂに入力された信号を出力部３７ｃから出力するように、つまり、Ｈ／Ｖ生成回路３６から入力された信号を出力部３７ｃから出力するように指示する指示信号を第２選択スイッチ３７へ与えて、映像信号とは非同期の水平同期信号及び垂直同期信号をＯＳＤ信号生成回路１２及び表示部１４へ出力する。これにより、ＯＳＤ信号生成回路１２は、チューナ部１１に入力された映像信号から分離された複合同期信号（水平同期信号及び垂直同期信号）ではなく、Ｈ／Ｖ生成回路３６によって生成された確実に同期のとれる複合同期信号を同期タイミングに用いることになるので、ＯＳＤ映像の表示が不安定となる虞はない。つまり、チューナ部１１に入力された映像信号は、表示することに意味のない信号であると考えられるので、この映像信号に係る映像を表示することはしない。
【００４８】
また、制御回路３８は、タイマー３８ａを内蔵しており、複合同期信号が異常であると判定した判定信号を受け取った場合、タイマー３８ａは時間の計測を開始し、異常であると判定した経過時間を計測する。例えば、制御回路３８は、複合同期信号が正常であるか否かを示す識別信号をタイマー３８ａへ出力し、タイマー３８ａがその識別信号に基づいてオン／オフを切り換えるようにしておく。
【００４９】
（２−１、複合同期信号が正常でない（異常である）と判定した判定信号を受け取り、タイマー３８ａが計測した経過時間が所定経過時間を経過していない場合）
制御回路３８は、第１選択スイッチ３１の入力部３１ａに入力された信号を出力部３１ｂから出力する。つまり、チューナ部１１から入力された信号を自動スライス回路３２へ出力するように指示する指示信号を第１選択スイッチ３１へ与えて、映像信号を自動スライス回路３２にてスライスさせる。固定スライス回路３３は、入力された信号を所定信号レベルでスライスすることから、複合同期信号を分離する分離能力が自動スライス回路３２より劣るため、実際に映像信号が入力されている場合であっても、複合同期信号を分離することができない虞がある。そこで、タイマー３８ａが計測した経過時間が所定経過時間を経過しないうちは、分離能力が優れた自動スライス回路３２にて複合同期信号を分離することによって、分離に失敗することを抑制することができる。特に、瞬間的にノイズが混入された場合などのような場合に有効である。
【００５０】
（２−２、複合同期信号が正常でない（異常である）と判定した判定信号を受け取り、タイマー３８ａが計測した経過時間が所定経過時間を経過した場合）
制御回路３８は、第１選択スイッチ３１の入力部３１ａに入力された信号を出力部３１ｃから出力する。つまり、チューナ部１１から入力された信号を固定スライス回路３３へ出力するように指示する指示信号を第１選択スイッチ３１へ与えて、映像信号を固定スライス回路３３にてスライスさせる。所定経過時間を経過した後は、実際に映像信号が入力されていないと考えられるので、固定スライス回路３３にて複合同期信号を分離することによって、処理を簡略化して消費電力を落とすことができる。
【００５１】
さらに、制御回路３８は、タイマー３８ａが計測した経過時間が所定経過時間を経過した場合、所定の時間間隔で、第１選択スイッチ３１の入力部３１ａに入力された信号を出力部３１ｂから出力するようにしてもよい。つまり、チューナ部１１から入力された信号を自動スライス回路３２へ出力するように指示する指示信号を第１選択スイッチ３１へ与えて、映像信号を自動スライス回路３２にてスライスさせる。固定スライス回路３３は、入力された信号を所定信号レベルでスライスすることから、複合同期信号を分離する分離能力が自動スライス回路３２より劣るため、実際に映像信号が入力されている場合であっても、複合同期信号を分離することができない虞がある。そこで、所定の時間間隔で、自動スライス回路３２にて複合同期信号を分離することによって分離能力を高める。このようにして、低消費電力を確保しつつ、複合同期信号の分離が継続して失敗することを防止することができる。
【００５２】
次に、同期判定回路３４の機能について説明する。図２は同期判定回路の機能を説明するための説明図であり、チューナ部１１にＮＴＳＣ方式の映像信号が入力されており、分離した複合同期信号から水平同期信号が正常であるか否かを判定する場合について説明する。
【００５３】
映像信号は、クロマ信号を変調して輝度信号に重畳し、さらに複合同期信号（水平同期信号及び垂直同期信号）を重畳したものであり、この映像信号が電波によって搬送される。搬送された映像信号は、自動スライス回路３２又は固定スライス回路３３にて複合同期信号に分離される。
【００５４】
分離された複合同期信号は、図２（ａ）に示すような波形を示す。図２（ａ）から分かるように、各パルスの立下りエッジ５０が水平同期のタイミングを示している。そこで、同期判定回路３４は、複合同期信号の各パルスの立下りエッジ５０を検出して、そのタイミングを水平同期タイミングであると判断する。ＮＴＳＣ方式では、水平同期周波数は１５．７５ｋＨｚであることから、隣り合う各パルスの立下りエッジ５０，５０間の時間が略６３．５μｓ（１Ｈ期間）であるか否かによって、水平同期が正常であるか否かを判断することができる。
【００５５】
具体的には、図２（ｂ）に示すように、クロックカウンタ３４ａを、各パルスの立下りエッジ５０に同期してカウント動作を開始させ、次のパルスの立下りエッジ５０に同期してカウント動作を停止させる。そして、クロックカウンタ３４ａのカウンタ値が示す時間が所定時間（ＮＴＳＣ方式では略６３．５μｓ）であるか否かに基づいて、水平同期が正常であるか否かを判断することができる。例えば、クロックカウンタ３４ａが０．５μｓ毎にカウントするカウンタである場合、６３．５μｓに相当する１２７カウントであるか否かに基づいて判断する。もちろん、判定基準を１２７−α〜１２７＋α（α：自然数）のような範囲に設定するようにしてもよく、ノイズによる影響が大きいような場合には、αを大きくして判定基準を緩和するようにしてもよい。
【００５６】
さらに、図２（ｃ）に示すように、水平同期が正常であると判断した場合に、積分カウンタ３４ｂで積算して、１Ｖ期間毎に、積算したカウンタ値が所定数（ＮＴＳＣ方式では５２５）であるか否かに基づいて正常であるか否かを判断することもできる。
【００５７】
次に、同期信号分離装置３０が行う判定処理の動作手順を、フローチャートを用いて説明する。図３は判定処理の動作手順を示すフローチャートである。なお、動作手順は一例であり、これに限るものではない。
【００５８】
同期信号分離装置３０は、電源の投入時のような処理の初期時に、クロックカウンタ３４ａ及び積分カウンタ３４ｂのカウンタ値をリセットする（ステップＳ１）。そして、以下に示すエッジ割込処理とタイマー割込処理とをそれぞれ並行して行う（ステップＳ２）。
【００５９】
エッジ割込処理においては、図４に示すように、同期信号分離装置３０は、まず、自動スライス回路３２又は固定スライス回路３３から入力された複合同期信号の最初の立下りエッジ５０に同期してクロックカウンタ３４ａのカウント動作を開始させる（ステップＳ１１）。そして、次以降の複合同期信号の立下りエッジ５０に同期してクロックカウンタ３４ａのカウンタ値を読み取って（ステップＳ１２）、読み取ったクロックカウンタ３４ａのカウンタ値が所定値（１Ｈ期間に相当するカウンタ値）であるか否かを判定する（ステップＳ１３）。
【００６０】
複合同期信号の立下りエッジ５０は水平同期のタイミングを示すことから、Ｓ１３において、クロックカウンタ３４ａのカウンタ値が所定値であると判定された場合（Ｓ１３：ＹＥＳ）、水平同期が正常であると判断して、積分カウンタ３４ｂのカウンタ値をインクリメントする（ステップＳ１４）。一方、Ｓ１３において、クロックカウンタ３４ａのカウンタ値が所定値でないと判定された場合（Ｓ１３：ＮＯ）、水平同期が異常であると判断して、積分カウンタ３４ｂのカウンタ値をディクリメントする（ステップＳ１５）。そして、次のパルスに対する処理のために、クロックカウンタ３４ｂのカウンタ値をリセットして（ステップＳ１６）、Ｓ１２へ移行して処理を継続する。なお、Ｓ１５では、積分カウンタ３４ｂのカウンタ値をディクリメントするようにしたが、ディクリメントは必ずしも必要ではない。
【００６１】
タイマー割込処理においては、図５に示すように、同期信号分離装置３０は、所定時間（ここでは１Ｖ期間）毎に、積分カウンタ３４ｂのカウンタ値を読み取り（ステップＳ２１）、読み取った積分カウンタ３４ｂのカウンタ値が所定値（１Ｖ期間の水平同期信号数（ＮＴＳＣ方式では５２５））であるか否かを判定する（ステップＳ２２）。積分カウンタ３４ｂのカウンタ値は、水平同期信号のものであるものと判断された立下りエッジ数であることから、Ｓ２２において、積分カウンタ３４ｂのカウンタ値が所定値であると判定された場合（Ｓ２２：ＹＥＳ）、１Ｖ期間の水平同期信号の数が正常であることになるので、同期信号が正常であると判断する（ステップＳ２３）。一方、Ｓ２２において、積分カウンタ３４ｂのカウンタ値が所定値でないと判定された場合（Ｓ２２：ＮＯ）、１Ｖ期間の水平同期信号の数が異常であることになるので、同期信号が異常であると判断する（ステップＳ２４）。そして、同期信号分離装置３０は、積分カウンタ３４ｂのカウンタ値をリセットする（ステップＳ２５）。
【００６２】
このようにして、第１選択スイッチ３１にて選択され、自動スライス回路３２又は固定スライス回路３３から出力された複合同期信号が正常であるか否かを判断する。
【００６３】
なお、実施の形態では自動スライス回路３２又は固定スライス回路３３にて分離された複合同期信号が正常であるか否かを同期判定回路３４にて判定するようにしたが、Ｈ／Ｖ分離回路３５にて分離された水平同期信号及び垂直同期信号が正常であるか否かを判定するようにしてもよい。
【００６４】
また、本発明に係る同期信号分離装置３０を搭載したテレビジョン受像機１について説明したが、同期信号分離装置３０を必要とするビデオテープレコーダ、ＤＶＤレコーダなどのような録画機器、及びデジタルビデオカメラのような撮像機器に対しても適用可能である。
【図面の簡単な説明】
【００６５】
【図１】本発明に係る同期信号分離装置を搭載したテレビジョン受像機の構成を示すブロック図である。
【図２】同期判定回路の機能を説明するための説明図である。
【図３】判定処理の動作手順を示すフローチャートである。
【図４】エッジ割込処理の動作手順を示すフローチャートである。
【図５】タイマー割込処理の動作手順を示すフローチャートである。
【図６】従来の同期信号分離装置を搭載したテレビジョン受像機の構成を示すブロック図である。
【図７】第１選択スイッチ及び第２選択スイッチの選択動作を説明するための説明図である。
【符号の説明】
【００６６】
１  テレビジョン受像機
１１  チューナ部
１２  ＯＳＤ信号生成回路
１３  合成処理回路
１４  表示部
３０  同期信号分離装置
３１  第１選択スイッチ
３２  自動スライス回路
３３  固定スライス回路
３４  同期判定回路
３４ａ  クロックカウンタ
３４ｂ  積分カウンタ
３５  水平／垂直信号分離回路（Ｈ／Ｖ分離回路）
３６  水平／垂直信号生成回路（Ｈ／Ｖ生成回路）
３７  第２選択スイッチ
３８  制御回路
３８ａ  タイマー
【図１】
2006135769.tif 000003
【図２】
2006135769.tif 000004
【図３】
2006135769.tif 000005
【図４】
2006135769.tif 000006
【図５】
2006135769.tif 000007
【図６】
2006135769.tif 000008
【図７】
2006135769.tif 000009